(57)【要約】【課題】合成樹脂製の受入部に電球の挿入部に係合する掛止爪を設けて、接続端の金属ばね材を節約しコストを低減する。【解決手段】合成樹脂製のソケット本体１１の前部に電球の挿入部１ｂと対応する受入部１２が形成され、この受入部１２内に電球の挿入部１ｂの接点１ｃと電気的に接続する接続端１３、挿入部１ｂを掛止する掛止端１４が設けられた電球ソケットにおいて、ソケット本体１１の受入部１２の内面に挿入部１ｂの突条１ｅに対し抜け止め掛止する掛止爪２２を突設して、従来では掛止端１４のみが負担していた掛止機能の一部を掛止爪２２が分担するようにする。【選択図】  図２
2004185815.tif 000002
【特許請求の範囲】
【請求項１】
合成樹脂製のソケット本体に楔形口金を有する電球の挿入部に対応する受入部を形成し、該受入部内に前記電球の挿入部に設けた接点と電気的に接続する金属製の接続端と前記挿入部に設けた突条に掛止するための金属製の掛止端とを配置した電球ソケットにおいて、前記受入部の内面に前記挿入部の突条に抜け止め掛止する掛止爪を前記ソケット本体から一体に突設したことを特徴とする電球ソケット。
【請求項２】
前記掛止爪は前記掛止端に隣接して配し、前記挿入部の共通の突条に掛止するようにした請求項１に記載の電球ソケット。
【請求項３】
前記接続端と掛止爪は一体の金属ばね板により形成した請求項１に記載の電球ソケット。
【発明の詳細な説明】
【０００１】
【発明の属する技術分野】
本発明は、例えば自動車の信号電球等に用いる電球ソケットに関するものである。
【０００２】
【従来の技術】
自動車の電球ユニットには、楔形口金電球つまりウェッジベース電球が使用されており、このウェッジベース電球は電球ソケットに保持され、電球ソケットには電線が接続され、電球に電流を流して点灯をしている。
【０００３】
図３は現在多く使用されているウェッジベース電球の斜視図、図４は側面図である。このウェッジベース電球にはフィラメントを収容した略円柱状のバルブ部１ａと、後述の電球ソケットに圧入可能な略扁平角柱状の挿入部１ｂとが設けられ、バルブ部１ａと挿入部１ｂはガラスにより一体に成形されている。
【０００４】
挿入部１ｂは電球ソケットにその表裏面を任意に圧入可能に形成されており、挿入部１ｂには、フィラメントに接続されたリード線の端部が折り返され挿入部１ｂの表裏に分かれた一対の接点１ｃと、バルブ部１ａの内部の空気を抜くために使用された軸線方向を向く突条１ｄと、軸線に直交する方向を向き電球ソケット内の掛止端に掛止される表裏に設けられた一対の突条１ｅと、接点１ｃの側方への移動を規制する突起１ｆと、電球ソケットに対する挿入量を規制する突起１ｇとが形成されている。
【０００５】
図５は従来の電球ソケットの平面図、図６はウェッジベース電球を挿入した状態の拡大縦断面図である。この電球ソケットには、合成樹脂製のソケット本体２の前部にウェッジベース電球の挿入部１ｂに適合する受入部３が形成され、この受入部３内には、金属ばね材から成る一対の接続端４と、この接続端４と一体の金属ばね材から成る掛止端５が内装されている。接続端４には、挿入された挿入部１ｂの接点１ｃと電気的に接続する可動の電気接片６が自由端を下方に向けて設けられ、掛止端５には、挿入部１ｂの突条１ｅを掛止してウェッジベース電球を抜け止めする掛止片７が自由端を上方に向けて設けられている。また、接続端４、掛止端５は圧着部８においてリード線９に接続されている。
【０００６】
【発明が解決しようとする課題】
使用中に使用中にウェッジベース電球を十分に抜け止めするには、掛止端５に強い弾性支持力が求められるため、ばね定数の高い比較的厚肉で高価な金属ばね材を使用しなければならず、掛止端の価格が電球ソケットのコストを押し上げる１つの原因になっている。
【０００７】
本発明の目的は、上述の問題点を解決し、電球挿入部を抜け止めする掛止機能を合成樹脂製のソケット本体にも負担させることにより、金属ばね材を節約し、コストを低減した電球ソケットを提供することにある。
【０００８】
【課題を解決するための手段】
上記目的を達成するための本発明に係る電球ソケットは、合成樹脂製のソケット本体に楔形口金を有する電球の挿入部に対応する受入部を形成し、該受入部内に前記電球の挿入部に設けた接点と電気的に接続する金属製の接続端と前記挿入部に設けた突条に掛止するための金属製の掛止端とを配置した電球ソケットにおいて、前記受入部の内面に前記挿入部の突条に抜け止め掛止する掛止爪を前記ソケット本体から一体に突設したことを特徴とする。
【０００９】
【発明の実施の形態】
本発明を図１、図２に図示の実施の形態に基づいて詳細に説明する。
図１は本発明に係る電球ソケットの平面図、図２はウェッジベース電球を装着した状態の拡大縦断面図であり、電球ソケットには、ウェッジベース電球を装着するために適した筒形状をなす合成樹脂材のソケット本体１１を主体とし、ソケット本体１１の前部に電球の挿入部１ｂと対応する受入部１２が形成されている。受入部１２内には、電球の接点１ｃと接続し係合する接続端１３と、挿入部１ｂの両側から挿入部１ｂの突条１ｅに掛止する掛止端１４が内装され、接続端１３、掛止端１４は金属ばね材をプレス抜き、曲げ加工によって一体に加工され、後端において圧着部１５を介してリード線１６に接続されている。
【００１０】
接続端１３には、電球の挿入部１ｂの一対の接点１ｃとそれぞれ電気的に接触するための自由端を下方に向けた電気接片１７が設けられている。掛止端１４には、挿入部１ｂの突条１ｅに機械的に掛止する掛止片１８が自由端を上方に向けて設けられている。図２においては図面の都合上、掛止片１８の図示を省略しているが、図６の掛止片７とほぼ同様である。
【００１１】
更に、ソケット本体１１の後端部にはゴム栓１９が嵌合され、このゴム栓１９には接続端１３の後部に接続されたリード線１６を挿通する透孔２０が穿設され、リード線１６は外部に引き出されている。
【００１２】
受入部１２の内部には、各電気接片１７を支持するための端子支持溝２０や挿入部１ｂの各突起１ｇを突き当てる図示しない突当部等がソケット本体１１と一体に設けられている。また、受入部１２の内面の両側から、掛止端１４の掛止片１８に隣接して、一対の掛止爪２２がソケット本体１１から内側に突設され、これらの掛止片１８と掛止爪２２が挿入部１ｂの共通の一対の突条１ｅに対し、両側から抜け止め掛止するようにされている。
【００１３】
この電球ソケットでは、ソケット本体１１と一体の掛止爪２２が、ソケット本体１１自体の弾性変形により、電球の挿入部１ｂにある両側の突条１ｅを乗り越えて掛止して、挿入部１ｂを機械的に強力に掛止するので、掛止端１４の係止片１８による掛止と相まって、ウェッジベース電球は強固に保持される。従って、掛止爪２２を挿入部１ｂに対する抜け止めを助長しているため、その分だけ掛止端１４の厚みを薄くしたり幅を小さくすることができる。
【００１４】
更に、ソケット本体１１には中間部の外周に取付用のフランジ２３が一体に形成されており、このフランジ２３によりソケット本体１１はパッキング２４を介して、例えば反射鏡２５内に水密に取り付けられる。
【００１５】
なお、電球の接点１ｃ、接続端１３、掛止端１４、掛止爪２２の数は、実施の形態のように一対に限るものではなく、必要に応じて数を増加してもよい。
【００１６】
【発明の効果】
以上に説明したように本発明に係る電球ソケットによれば、ソケット本体の受入部の内面に電球挿入部の突条に対し抜け止め掛止する掛止爪が突設されているので、電球を抜け止めする従来の金属ばね材による掛止機能を合成樹脂製のソケット本体にも負担させることができ、金属ばね材の材料を節約でき、コストを低減することが可能となる。
【図面の簡単な説明】
【図１】実施の形態の電球ソケットの平面図である。
【図２】ウェッジベース電球を挿入した状態の拡大縦断面図である。
【図３】ウェッジベース電球の斜視図である。
【図４】側面図である。
【図５】従来例の電球ソケットの平面図である。
【図６】従来例のウェッジベース電球を挿入した状態の拡大縦断面図である。
【符号の説明】
１ａ  バルブ部
１ｂ  挿入部
１ｃ  接点
１ｅ  突条
１１  ソケット本体
１２  受入部
１３  接続端
１４  掛止端
１７  電気接片
１８  掛止片
２２  掛止爪
【図１】
2004185815.tif 000003
【図２】
2004185815.tif 000004
【図３】
2004185815.tif 000005
【図４】
2004185815.tif 000006
【図５】
2004185815.tif 000007
【図６】
2004185815.tif 000008